(57)【要約】【課題】服飾品管理システムにおいて、購入した商品データ及び実生活で商品の使用情報をユーザが入力することなく管理する。【解決手段】  服飾品管理サーバは、加盟店サーバからカード会員が商品を購入した際の購入商品情報を受信し、その購入商品情報に基づいて、会員が購入した商品ＩＤごとにクローゼット情報を作成し、クローゼットＤＢに格納する。商品購入後は、様々な場所に設置されたＩＣタグリーダから、その商品に埋め込まれたＩＣタグに記憶された情報を会員の商品の着用情報として受信し、その着用情報から商品ＩＤ及び会員ＩＤを識別して、クローゼット情報を更新する。会員からの求めがあった場合は、自分のクローゼット情報を会員の端末に送信する。会員は、着用履歴から着用しなくなった商品を容易にチェックできる。また、他の会員や加盟店に対しても自分のクローゼット情報を開示し、評価やアドバイスを受け取れるようにする。【選択図】図１
2014102739.tif 000002
【特許請求の範囲】
【請求項１】
会員端末と加盟店サーバとＩＣタグリーダと服飾品管理サーバとがネットワークで接続された服飾品管理システムであって、
前記服飾品管理サーバは、
前記加盟店サーバから会員が商品を購入した際の購入商品情報を受信する購入商品情報受信部と、
前記購入商品情報に基づいて、前記会員が購入した商品ＩＤごとに作成されたクローゼット情報を格納するクローゼットＤＢと、
前記会員からの求めに応じて、前記クローゼットＤＢに格納された前記クローゼット情報を前記会員端末に送信するクローゼット情報送信部と、
前記ＩＣタグリーダから前記商品に埋め込まれたＩＣタグに記憶された情報を含む情報を受信する商品着用情報受信部と、を備え、
前記ＩＣタグリーダは、前記会員が前記商品を着用して当該ＩＣタグリーダに近接した際に、前記商品に埋め込まれた前記ＩＣタグに記憶された情報を読み出し、前記会員の着用情報として前記服飾品管理サーバに送信し、
前記服飾品管理サーバは、前記ＩＣタグリーダから前記着用情報を受信した際に、前記着用情報から前記商品ＩＤ及び会員ＩＤを識別し、前記会員のクローゼット情報を更新して、前記クローゼットＤＢに格納することを特徴とする服飾品管理システム。
【請求項２】
前記ＩＣタグリーダは前記会員端末に内蔵され、前記会員が前記会員端末で所定の操作をしたことに応じて、前記会員端末に所定の操作がなされたことに応じて、前記会員が前記商品を着用して当該ＩＣタグリーダに近接した際に、前記商品に埋め込まれたＩＣタグに記憶された情報を読み出し、前記会員端末のＩＤと共に、前記服飾品管理サーバに送信することを特徴とする請求項１に記載の服飾品管理システム。
【請求項３】
前記ＩＣタグリーダは、前記会員の居所に設置され、前記会員が前記商品を着用して当該ＩＣタグリーダに近接した際に、前記ＩＣタグに記憶された情報を読み出し、前記ＩＣタグリーダのＩＤと共に、前記服飾品管理サーバに送信することを特徴とする請求項１に記載の服飾品管理システム。
【請求項４】
前記ＩＣタグリーダは、複数のユーザ識別ボタンを備え、前記会員が前記ユーザ識別ボタンを押した際に、前記ユーザ識別ボタンのＩＤを前記ＩＣタグリーダのＩＤに付加して、前記服飾品管理サーバに送信することを特徴とする請求項３に記載の服飾品管理システム。
【請求項５】
前記ＩＣタグリーダは、前記会員が前記商品を着用して当該ＩＣタグリーダに近接した際に、前記商品に埋め込まれたＩＣタグに記憶された情報、及び前記会員の生体認証ＩＣチップに記憶された個人識別子を読み出し、前記服飾品管理サーバに送信することを特徴とする請求項１又は３に記載の服飾品管理システム。
【請求項６】
前記服飾品管理サーバは、前記会員が自己のクローゼット情報を開示することを許可している場合に、自己の会員端末以外からの前記クローゼット情報へのアクセスを制御する会員コミュニティ制御部を備え、他の会員からの評価又はコメントを自己のクローゼット情報に付加することを特徴とする請求項１乃至５のいずれかに記載の服飾品管理システム。
【請求項７】
会員コミュニティ制御部は、前記開示されたクローゼット情報のコーディネートに関する提案又はアドバイスを、加盟店の端末から受け取ることを特徴とする請求項６に記載の服飾品管理システム。
【請求項８】
会員端末と加盟店サーバとＩＣタグリーダと服飾品管理サーバとがネットワークで接続されたシステムにおける服飾品管理方法であって、
前記服飾品管理サーバにおいて、
前記加盟店サーバから会員が商品を購入した際の購入商品情報を受信するステップと、
前記購入商品情報に基づいて、前記会員が購入した商品ＩＤごとに作成されたクローゼット情報をクローゼットＤＢに格納するステップと、
前記会員からの求めに応じて、前記クローゼットＤＢに格納された前記クローゼット情報を前記会員端末に送信するステップと、
前記会員が前記商品を着用して当該ＩＣタグリーダに近接した際に、前記商品に埋め込まれたＩＣタグから読み出された情報を、当該ＩＣタグリーダから、前記会員の着用情報として受信するステップと、
前記ＩＣタグリーダから前記着用情報を受信した際に、前記着用情報から前記商品ＩＤ及び会員ＩＤを識別するステップと、
前記会員のクローゼット情報を更新して、前記クローゼットＤＢに格納するステップと、を含むことを特徴とする服飾品管理方法。
【発明の詳細な説明】
【技術分野】
【０００１】
本発明は、ユーザが所持する服飾品の管理システム及びその管理方法に関する。特に、アバターを利用した服飾品管理システム及びその管理方法に関する。
【背景技術】
【０００２】
女性を中心に、衣類や装飾品等の服飾品を多数保有する人間は、タンスやクローゼットに収納した服飾品のすべてを把握することができず、多くの服飾品を死蔵させたままにしていることがある。そのため、従来から、自己が所持する衣類、装飾品やそれらのコーディネートを管理する装置、システムが多数提案されている。
【０００３】
例えば、特許文献１には、服飾品のアイテムの画像データを、ビデオカメラ等で入力したり、ポインティングデバイスによって描画作成したり、店舗からダウンロードしたりすることによって、ユーザが服飾品のアイテムの画像を装置に入力し、かつ各アイテムの属性を入力して、アイテムごとの服飾データをデータベース化し、これらの服飾データを利用して、各アイテムの組み合わせを評価したり、使用頻度を管理したりする服飾データ管理装置が記載されている。
【０００４】
また、特許文献２には、ユーザがＷｅｂページにて販売されている商品を購入したことに応じて、アイテム管理装置が購入された商品識別情報を受信し、その商品識別情報に基づいて商品に対応したアバターアイテムをアイテムＤＢから取得し、ユーザが商品を実生活で使用した際に、その商品のアバターアイテムをユーザのアバターにも使用させたことに応じて、当該アイテムの使用情報を受信するアイテム管理装置が記載されている。
【先行技術文献】
【特許文献】
【０００５】
【特許文献１】特開平７−２４３１１２号公報
【特許文献２】特開２０１０−９２３６４号公報
【発明の概要】
【発明が解決しようとする課題】
【０００６】
しかしながら、特許文献１に記載の服飾データ管理装置では、服飾アイテム（服飾品）の画像データをユーザがビデオカメラ等で入力する手間が発生し、多くの服飾アイテムを所持するユーザにとっては大変面倒なことである。かといって、服飾アイテムの性質上、画像データの欠けた情報をデータベースに格納しても実用上の有用性は低い。また、実際の服飾アイテムの使用頻度を管理するためには、どのアイテムの組み合わせで着用したかをユーザ自身がそのつど入力しなければならない。
【０００７】
一方、特許文献２に記載のアイテム管理装置では、商品のアイテムの画像データを予めアバターアイテムとして格納したＤＢを用意しておき、ユーザが商品を購入したことに応じで、購入した商品に対応するアバターアイテムをユーザ端末に送信することで、ユーザがアイテムの画像入力をする手間を不要としている。そして、ユーザが実生活において当該商品を使用した際に、使用した商品に対応するアイテムをユーザが自身の分身であるアバターに仮想空間上で使用させたことに応じて、当該アイテムの使用情報を受信する。すなわち、仮想空間上のアバターを媒体として、アバターアイテムの使用情報を実生活での商品の使用情報とするものである。しかし、このような方法でも、アイテムの使用情報を取得するためには、ユーザが実際に商品を使用した際に、そのつど商品に対応するアバターアイテムを、ユーザが自分自身の分身として、アバターにも使用させなければならない。したがって、実生活で使用した商品であっても、同時にアバターにも使用させない限り商品の使用情報としては取得できないので、ここで得られた商品の使用情報は、実生活での使用と乖離する可能性が高い。
【０００８】
したがって、本発明では、上記のような課題に鑑み、服飾アイテムのデータをユーザがデータベースに入力する手間をなくし、かつ実生活での服飾アイテムの使用情報をユーザがそのつど入力することなく取得することができる服飾品管理システム及びその管理方法を提供することを目的とする。
【課題を解決するための手段】
【０００９】
上記課題を解決するため、本発明の服飾品管理システムは、以下のような解決手段を提供する。
【００１０】
請求項１に記載の発明は、会員端末と加盟店サーバとＩＣタグリーダと服飾品管理サーバとがネットワークで接続された服飾品管理システムであって、前記服飾品管理サーバは、前記加盟店サーバから会員が商品を購入した際の購入商品情報を受信する購入商品情報受信部と、前記購入商品情報に基づいて、前記会員が購入した商品ＩＤごとに作成されたクローゼット情報を格納するクローゼットＤＢと、前記会員からの求めに応じて、前記クローゼットＤＢに格納された前記クローゼット情報を前記会員端末に送信するクローゼット情報送信部と、前記ＩＣタグリーダから前記商品に埋め込まれたＩＣタグに記憶された情報を含む情報を受信する商品着用情報受信部と、を備え、前記ＩＣタグリーダは、前記会員が前記商品を着用して当該ＩＣタグリーダに近接した際に、前記商品に埋め込まれた前記ＩＣタグに記憶された情報を読み出し、前記会員の着用情報として前記服飾品管理サーバに送信し、
前記服飾品管理サーバは、前記ＩＣタグリーダから前記着用情報を受信した際に、前記着用情報から前記商品ＩＤ及び会員ＩＤを識別し、前記会員のクローゼット情報を更新して、前記クローゼットＤＢに格納することを特徴とする。
【００１１】
上記の構成によれば、服飾品管理サーバが、会員が購入した商品の情報を加盟店側から受信するので、会員が購入した商品を管理するためのクローゼット情報を容易に構築することができる、また、商品にはその商品の情報（少なくとも商品ＩＤを含む）を記憶したＩＣダクが埋め込まれているので、会員が外出する際などに、様々な場所に設置されたＩＣタグリーダが、会員が着用している（ＩＣタグリーダの近接無線通信距離内にある）商品のＩＣタグの情報を読み取り、服飾品管理サーバに送信するので商品の実際の使用情報を自動的に取得し、蓄積することができる。
【００１２】
なお、ここでいう「服飾品」とは、衣類（衣服、帽子、マフラー、ネクタイ、スカーフ、靴、靴下、手袋、ベルト類）、及び身に着ける装飾品（ネックレス、ブレスレット、イヤリング、髪飾り類）の他、鞄（バッグ）、傘、杖、腕時計等、外出時に人間が携帯する物品を含むものとする。
【００１３】
請求項２に記載の発明は、請求項１の発明において、前記ＩＣタグリーダは前記会員端末に内蔵され、前記会員が前記会員端末で所定の操作をしたことに応じて、前記会員端末に所定の操作がなされたことに応じて、前記会員が前記商品を着用して当該ＩＣタグリーダに近接した際に、前記商品に埋め込まれたＩＣタグに記憶された情報を読み出し、前記会員端末のＩＤと共に、前記服飾品管理サーバに送信することを特徴とする。
【００１４】
上記の構成によれば、ＩＣタグリーダを会員の端末に内蔵させておき、会員が会員端末に所定の操作をしたときに、ＩＣタグリーダが読み取った商品のＩＣタグの情報を服飾品管理サーバに送信するので、会員が望むときに商品の着用情報を記録することができる。また、会員端末のＩＤを同時に送信するので、ＩＣタグに会員ＩＤを書き込むことのできない読み出しのみタイプのＩＣタグであっても、システムに登録された会員端末のＩＤから会員ＩＤを求めることができる。すなわち、商品ＩＤのみが記憶されたＩＣタグであっても、商品の所持者を特定することができる。
【００１５】
請求項３に記載の発明は、請求項１の発明において、前記ＩＣタグリーダは、前記会員の居所に設置され、前記会員が前記商品を着用して当該ＩＣタグリーダに近接した際に、前記ＩＣタグに記憶された情報を読み出し、前記ＩＣタグリーダのＩＤと共に、前記服飾品管理サーバに送信することを特徴とする。
【００１６】
上記の構成によれば、ＩＣタグリーダを会員の自宅の玄関付近等に設置しておき、ＩＣタグリーダは、会員が商品を着用して当該ＩＣタグリーダに近接したときにＩＣタグの情報を読み取り送信するので、お出かけの際などに商品の着用情報を記録することができる。また、ＩＣタグリーダ内蔵型の会員端末の場合と同様に、ＩＣタグリーダのＩＤを同時に服飾品管理サーバに送信するので、ＩＣタグ内に会員ＩＤを書き込むことのできない読み出しのみタイプのＩＣタグであっても、システムに登録されたＩＣタグリーダのＩＤから会員ＩＤを求めることができる。すなわち、商品ＩＤのみが記憶されたＩＣタグであっても、商品の所持者を特定することができる。
【００１７】
請求項４に記載の発明は、請求項３の発明において、前記ＩＣタグリーダは、複数のユーザ識別ボタンを備え、前記会員が前記ユーザ識別ボタンを押した際に、前記ユーザ識別ボタンのＩＤを前記ＩＣタグリーダのＩＤに付加して、前記服飾品管理サーバに送信することを特徴とする。
【００１８】
上記の構成によれば、室内設置型のＩＣタグリーダを設置した場合、同じ商品を所持する人間が同居しており、かつＩＣタグが商品ＩＤのみしか記憶してない場合は、同居人のうち誰が着用しているか検出することはできないが、ＩＣタグリーダに複数のユーザ識別ボタンを設けておき、押されたユーザ識別ボタンに対応したＩＤをＩＣタグリーダのＩＤと共に服飾品管理サーバに送信することで、同じ商品を所持する複数のユーザの区別が可能となる。
【００１９】
請求項５に記載の発明は、請求項１又は３の発明において、前記ＩＣタグリーダは、前記会員が前記商品を着用して当該ＩＣタグリーダに近接した際に、前記商品に埋め込まれたＩＣタグに記憶された情報、及び前記会員の生体認証ＩＣチップに記憶された個人識別子を読み出し、前記服飾品管理サーバに送信することを特徴とする。
【００２０】
上記の構成によれば、ＩＣタグが商品ＩＤのみ又は会員ＩＤを記憶してない場合、会員の体内又は体表面に装着された生体認証ＩＣチップに記憶された個人識別子を、ＩＣタグリーダが商品のＩＣタグ内の情報を読み出す際に同時に読み出し、ＩＣタグ内の情報と共に服飾品管理サーバに送信することで、同じ商品を所持する複数のユーザの区別が可能となる。
【００２１】
請求項６に記載の発明は、請求項1乃至５のいずれかの発明において、前記服飾品管理サーバは、前記会員が自己のクローゼット情報を開示することを許可している場合に、自己の会員端末以外からの前記クローゼット情報へのアクセスを制御する会員コミュニティ制御部を備え、他の会員からの評価又はコメントを自己のクローゼット情報に付加することを特徴とする。
【００２２】
上記の構成によれば、会員が自己のクローゼット情報を他の会員に開示することを許可している場合に、他の会員からの自己のコーディネートに対する評価やコメント等を受け取ることができる。
【００２３】
請求項７に記載の発明は、請求項６の発明において、会員コミュニティ制御部は、前記開示されたクローゼット情報のコーディネートに関する提案又はアドバイスを、加盟店の端末から受け取ることを特徴とする。
【００２４】
上記の構成によれば、会員が自己のクローゼット情報を加盟店にも開示することを許可している場合に、加盟店の店員等から自己のコーディネートに対するショップ側の提案やアドバイスなどを受け取ることができる。
【００２５】
請求項８に記載の発明は、会員端末と加盟店サーバとＩＣタグリーダと服飾品管理サーバとがネットワークで接続されたシステムにおける服飾品管理方法であって、前記服飾品管理サーバにおいて、前記加盟店サーバから会員が商品を購入した際の購入商品情報を受信するステップと、前記購入商品情報に基づいて、前記会員が購入した商品ＩＤごとに作成されたクローゼット情報をクローゼットＤＢに格納するステップと、前記会員からの求めに応じて、前記クローゼットＤＢに格納された前記クローゼット情報を前記会員端末に送信するステップと、前記会員が前記商品を着用して当該ＩＣタグリーダに近接した際に、前記商品に埋め込まれたＩＣタグから読み出された情報を、当該ＩＣタグリーダから前記会員の着用情報として受信するステップと、前記ＩＣタグリーダから前記着用情報を受信した際に、前記着用情報から前記商品ＩＤ及び会員ＩＤを識別するステップと、前記会員のクローゼット情報を更新して、前記クローゼットＤＢに格納するステップと、を含むことを特徴とする。
【００２６】
上記請求項７の発明は、上記請求項１のシステムを方法の発明と捉えたものであり、請求項１の発明と同様な作用効果を奏する。
【発明の効果】
【００２７】
本発明によれば、服飾アイテムのデータをユーザが入力する手間をなくし、かつ実生活での服飾アイテムの使用情報をユーザがそのつど入力することなく、取得し、管理することができる服飾品管理システム及びその管理方法を提供することができる。
【図面の簡単な説明】
【００２８】
【図１】本発明の基本概念とシステム構成の概略を示す図である。
【図２】本発明の第一の実施形態に係るシステム構成における各装置の機能ブロックを示す図である。
【図３】本発明の第二の実施形態に係るシステム構成における各装置の機能ブロックを示す図である。
【図４】クローゼットＤＢ５０に格納された購入商品情報１００及びＩＣタグリーダ２０から送信される着用情報１２０を示す図である。
【図５】クローゼットＤＢ５０に格納されたクローゼット情報１４０の内容を模式的に表形式で示す図である。
【図６】自己のコーディネートに対する他会員からの評価を表示するためのコーディネート評価画面２００の一例を示す図である。
【図７】自己のコーディネートを時系列でチェックするためのコーディネート閲覧画面２１０の一例を示す図である。
【図８】他の会員の着こなしを参考にするための他会員コーディネート参照画面２２０の一例を示す図である。
【図９】自己が所持する着用回数の少ないアイテムをチェックするためのアイテム着用回数チェック画面２３０の一例を示す図である。
【図１０】加盟店からの会員に対するコーディネート等の提案を表示するためのショップ提案画面２４０の一例を示す図である。
【発明を実施するための形態】
【００２９】
以下、添付図面を参照して、本発明を実施するための形態（以下、実施形態）について詳細に説明する。なお、実施形態の説明の全体を通して同じ要素には同じ番号又は符号を付している。
【００３０】
図１は、本発明の基本概念とシステム構成の概略を示す図である。以降の実施形態では、典型例として、本システムをクレジットカードの会員を対象としたサービスを実現するシステムとして説明するが、他の会員制の電子マネーカードのシステムとしても実現可能である。
【００３１】
本システムは、クレジットカード会員の会員端末１０と、様々な場所に設置され、会員が購入した服飾品（商品）に埋め込まれたＩＣタグ２１に記憶された商品情報を読み出すＩＣタグリーダ２０と、クレジットカードの加盟店に設置された加盟店サーバ３０及び加盟店端末４０と、クレジットカード会社又はクレジットカード会社と提携した通販業者が提供する服飾品管理サーバ５０とが、ネットワーク６０を介して接続されている。会員端末１０は、会員が所持するＰＣ(Personal  Computer)、携帯電話、スマートフォン、タブレット端末等であって、クレジットカード会社が運営するカード会員サイトにログインすることで会員端末として機能する。また、ここでいうネットワーク６０とは、インターネットを中心として、加盟店とクレジットカード会社間の専用ネットワーク、加盟店内やクレジットカード会社内のローカルネットワークや広域ネットワーク等を含んだ概念である。
【００３２】
服飾品管理サーバ５０は、会員ごとのクローゼット情報を格納するクローゼットＤＢ５１を備えている。クローゼット情報には、会員がクレジットカードを使って購入した服飾商品に関する情報（購入時の商品情報及び購入後の商品の使用状況の情報等を含む）が記憶され蓄積されている。ここでクローゼットＤＢ５１に格納される商品の情報は、後述するように、購入時及び購入後に商品の特定が可能な商品を対象とする。
【００３３】
図示するように、会員が加盟店の店舗又はその加盟店が所属する通販サイトで商品を購入し、クレジットカードで代金の決済を行うと（ステップＳ１）、クレジットカード会社の信用照会が正常に得られると、商品が購入者に受け渡される（ステップＳ２）。本システムが対象とする商品は、ＩＣタグ２１（電子タグ、無線タグ、ＲＦ（Radio  Frequency）タグ、ＲＦＩＤ、電子荷札などと呼ばれることもある）が製造時又は販売時に予め埋め込まれ、購入時及び購入後に商品の特定が可能な物品とする。
【００３４】
ＩＣタグとは、シールラベル、タグ、コイン、キー、カプセルなど様々な形状のものにＩＣチップと小型のアンテナを埋め込み、そこに記憶された情報を電波によって直接触れずに読み取る技術である。ＩＣタグは、低コスト化が進めば、現在主流のバーコードに取って代わり、ほとんどすべての商品に付加される時代が来ると予想されている。商品に埋め込まれたＩＣタグには、少なくとも商品の識別子（商品ＩＤ）が記憶されている。商品の流通経路をトレースするために流通業者が商品の経路情報等を何度でも書込可能なＩＣタグ（リード・ライト型）も存在するが、コスト面から、読み出しのみタイプ（リードオンリー型又はライトワンス型）のＩＣタグが用いられることが多い。
【００３５】
会員が商品を店舗から受け渡されたとき、その会員が商品を購入したという情報及び商品の情報（以下、購入商品情報と呼ぶ）が、加盟店サーバ３０から服飾品管理サーバ５０に送信される（ステップＳ２’）。「購入商品情報」には、購入した商品の商品ＩＤの他、商品の詳細情報、購入日時、購入価格、購入店の情報等が含まれるが、詳細は後で説明する。
【００３６】
ＩＣタグ付の商品を購入した会員は、その商品を身に着けて外出すると、街中の所定の場所に設置されたＩＣタグリーダ２０の近傍を通過するたびに、着用した商品内のＩＣタグ２１の情報がＩＣタグリーダ２０の近距離無線通信手段によって自動的に読み取られ、商品の「着用情報」として服飾品管理サーバ５０に送信される（ステップＳ３）。即ち、日々、会員が身に着けている商品の情報がクローゼットＤＢ５１に自動的に記録され蓄積される。
【００３７】
クローゼットＤＢ５１に格納された会員ごとのクローゼット情報は、会員が会員サイトにログインすることで、いつでも参照することができる。すなわち、クローゼットＤＢ５１に服飾品に関するクローゼット情報を蓄積することで、会員は、自己が購入した服飾品をすべて閲覧し、必要であれば情報を編集し、使用状況を管理することができる。クローゼットＤＢ５１からは、単に服飾品を所持しているという情報だけでなく、着用した日、着用した商品の組み合わせ（コーディネート）、着用回数等の着用履歴も参照できる。したがって、使用したことがない服飾品を容易に見つけることができる。また、後述するように、着用履歴を所定の条件下で、他の会員や加盟店に公開するようにすれば、他の会員から、自己の服飾品のコーディネートに対する評価を受け取ったり、加盟店から購入した商品に関する提案やアドバイスを受け取ったりすることもできる。
【００３８】
図２は、本発明の第一の実施形態に係るシステム構成における各装置の機能ブロックを示す図である。機能ブロック間の矢印は、データの流れ方向、又は処理の流れ方向を表す（以下同じ）。第一の実施形態では、ＩＣタグ２１に書込み可能なタイプのものを使用した場合について説明する。以降、書込み可能なＩＣタグ（書込可タイプ）には符号２１ａを付し、読み出しのみタイプ（非書込タイプ）のＩＣタグには符号２１ｂを付して区別するものとする。また、以下、会員が通販サイトで商品を購入する場合について主に説明するが、リアル店舗で商品を購入する場合にも、店舗の店員が介在するだけで基本的には同様である。
【００３９】
顧客が会員端末１０から、通販サイトを介して、加盟店サーバ３０に購入したい商品の照会をすると、加盟店サーバ３０の購入受付部３３が、取扱う商品の商品情報を格納した商品ＤＢ３２から在庫を調べ、納期、支払方法を含んだ購入画面を会員端末１０に表示する。顧客が加盟店に既に登録していれば、顧客ＤＢ３１が参照され、商品送付先の住所・氏名等が取得され、購入のたびに毎回入力する手間が省ける。顧客が商品の購入を決定し、クレジットカードでの支払いを選択すると、加盟店サーバ３０からクレジットカード会社に信用照会が行われ、正常に終了すれば商品の購入が成立する。商品の購入が成立すると、加盟店サーバ３０の購入商品情報送信部３４が、商品ＤＢ３２から商品の画像データを含む詳細情報を読み出し、顧客のクレジットカード番号と共に服飾品管理サーバ５０に購入商品情報として送信する。
【００４０】
加盟店で商品発送の際には、まず加盟店端末４０が、顧客のクレジットカード会社に登録されている会員ＩＤをクレジットカード会社の会員ＤＢ５２から取得し、加盟店端末４０に接続されたＩＣタグライタ４１を使って、発送する商品のＩＣタグ２１ａに取得した会員ＩＤを書込む。これによって、ＩＣタグ２１ａには、商品ＩＤと会員ＩＤが記録されるので、以降この商品は、当該会員が購入したものであることが一義的に特定可能となる。なお、なんらかの理由で商品が返品された場合には、書き込まれた会員ＩＤは消去される。
【００４１】
服飾品管理サーバ５０は、データベースとして、先に説明したクローゼットＤＢ５１と、クレジットカードの会員の登録情報を格納した会員ＤＢ５２と、当該クレジットカードを利用できるすべての加盟店の情報を格納した加盟店ＤＢ５３とに接続されている。なお、各データベース自体は、服飾品管理サーバ５０内に設けても、別のサーバに設けてもよい。
【００４２】
また、服飾品管理サーバ５０は、機能ブロックとして、加盟店サーバ３０から購入商品情報を受信する購入商品情報受信部５４と、会員端末１０に対して、クローゼット情報を送信するクローゼット情報送信部５５と、会員間のコミュニティを形成させ、コミュニティにおける情報のアクセスを制御する会員コミュニティ制御部５６と、ＩＣタグリーダ２０ａから会員が現在実際に着用している商品ＩＤを受信する商品着用情報受信部５７とで構成される。
【００４３】
購入商品情報受信部５４は、加盟店サーバ３０から受信した購入商品情報をチェックし、購入商品情報に含まれたクレジットカード番号から商品を購入した顧客のクレジットカード会社における会員ＩＤを、会員ＤＢ５２を参照して特定する。ここでの会員ＩＤは、クレジットカードの会員サイトにおけるログインＩＤ等とは異なり、登録後の変更はできないものとする。
【００４４】
また、購入商品情報受信部５４は、購入商品情報に含まれた商品（アイテム）の画像情報を解析し、会員が予め作成したアバター画像に合成可能な形式に変換する。具体的には、商品の写真画像等を変形可能なベクトル図形データに変換し、アバターが着用する画像として利用可能なアイテム画像を生成する。作成されたアイテム画像は商品画像ＩＤが付され、購入商品情報と共に当該会員のクローゼットＤＢ５１に格納される。もちろん、対象とする商品にすでに作成済みのアイテム画像がある場合にはそれを利用する。なお、アイテムが合成されたアバター画像は、ＧＩＦ（Graphics   Interchange  Format）などの汎用画像ファイルフォーマットで作成し、会員Ｗｅｂサイト以外の仮想空間で利用できるようにしてもよい。
【００４５】
クローゼット情報送信部５５は、このようにして購入商品情報から変換されクローゼットＤＢ５１に格納されたクローゼット情報を会員端末１０に送信する。もちろん、クローゼット情報そのものを送信せずとも、クローゼットＤＢ５１に格納されたクローゼット情報へのリンクを送信することでよい。クローゼット情報の中身については後述する。
【００４６】
会員コミュニティ制御部５６は、商品を購入した会員に対して、自己のクローゼット情報の内容を参照させたり、必要であれば、会員が追加したい情報をコメント等で記入させたりする機能を有する。会員は、自己のクローゼット情報の内容の一部又は全部を、他の会員や商品を購入した加盟店等に対して公開することができる。会員コミュニティ制御部５６は、そのための公開条件を会員に設定させたり、公開を許可された他の会員等からの当該会員のクローゼット情報へのアクセスを制御したりする。
【００４７】
このときの公開条件は、商品（アイテム）ごとに設定することもできるし、クローゼット情報の一部又は全体に対しても設定することもできる。また、開示を許可する会員の範囲、例えば「友人」として登録した会員のみに限定するとか、商品を購入した加盟店以外にも許可するとか、細かく設定することができる。クローゼット情報の閲覧を許可された他の会員や加盟店は、会員サイトにログインし、クローゼット情報を所持する会員が実際に着用したコーディネートに対して評価をしたり、コメントを書き込んだりすることができる。
【００４８】
商品着用情報受信部５７は、街中の所定の場所に設置されたＩＣタグリーダ２０ａから、ＩＣタグ２１ａに書き込まれた商品ＩＤと会員ＩＤを受信し、着用情報として当該会員のクローゼット情報に格納する。ここで格納される着用情報には、着用日（ＩＣタグ検出日）、着用場所（ＩＣタグリーダ２０ａの設置場所）を含めることができる。着用検出時刻や設置場所の詳細情報も含めることもできるが、個人情報保護の観点から、ＩＣタグリーダ２０ａから送信される着用情報は必要最小限とするか、又は適宜暗号化することが望ましい。
【００４９】
第一の実施形態におけるＩＣタグリーダ２０ａは、会員の自宅や外部の建物に設置される外部設置型であってよい。例えば、自宅の玄関や建物の出入口に設置されたゲート装置又はアンテナ型装置に組み込まれる。自宅の玄関以外の設置場所として想定される建物は、ファッション専門店が集まったビル、デパート、ショッピングモール、コンサートホール、劇場、美術館、観光施設など、ファッション性があって、人が多く集まる場所が主であるが、駅の改札口や特定の通りに設置された街灯などであってもよい。
【００５０】
図３は、本発明の第二の実施形態に係るシステム構成における各装置の機能ブロックを示す図である。第二の実施形態では、ＩＣタグ２１に読み出しのみ（非書込）タイプのもの（ＩＣタグ２１ｂ）を使用した場合について説明する。
【００５１】
システムの機能構成は、図２の第一の実施形態の場合とほぼ同様であるので、以下では異なる部分のみを説明する。ＩＣタグ２１ｂには、製造業者又は販売業者によって商品のＩＤが一度だけ書き込まれるが、その後はデータを書き込むことができないので、商品を購入した会員を識別するためには、会員端末１０にＩＣタグリーダ２０ｂを内蔵させ、会員端末１０の端末ＩＤ（端末の機種ＩＤとシリアル番号など）から会員ＩＤを特定する。このため、クレジットカード会社の会員サイトには、会員が自己のスマートフォン等の端末ＩＤを会員端末として予め登録しておく。
【００５２】
会員が商品である服飾アイテムを着用した際に、会員端末１０に対して所定の操作（検知開始ボタン押すなど）をすることによって、会員端末１０に内蔵されたＩＣタグリーダ２０ｂ（会員端末内蔵型）が、着用された（近距離無線通信可能範囲にある）商品のＩＣタグ２１ｂに記録された商品ＩＤを読み出し、会員端末ＩＤと共に、服飾品管理サーバ５０に送信する。このようにすることで、服飾品管理サーバ５０は、読み出しのみタイプのＩＣタグが埋め込まれた商品であっても、特定の会員が購入しその商品を着用したことを検出することができる。したがって、この場合、第一の実施形態のように、加盟店側で商品発送の際にＩＣタグ２１ａに会員ＩＤを書き込むためのＩＣタグライタ４１は不要となる。
【００５３】
第二の実施形態で使用されるＩＣタグリーダは、会員端末内蔵型以外にも、第一の実施形態で説明したように、会員の自宅の玄関等又は外部の施設に設置される外部設置型であってもよい。外部設置型のＩＣタグリーダ２０ａの場合、会員が商品を着用して（あるいは商品と共に）ＩＣタグリーダ２０ａの近傍を通過すると、着用されたＩＣタグ２１ｂの商品ＩＤが読み取られる。そして、ＩＣタグリーダ２０ａは、登録時に設定されたＩＣタグリーダのＩＤ又は後述する生体認証ＩＣチップのＩＤを、個人識別子として、服飾品管理サーバ５０に送信する。服飾品管理サーバ５０の商品着用情報受信部５７はＩＣタグリーダ２０ａのこれらのＩＤから所有者の会員ＩＤを特定する。
【００５４】
自宅の玄関等に室内設置型のＩＣタグリーダ２０ａを設置した場合、家族等の同居人が同じ商品ＩＤを有するアイテムを着用していた場合は、ＩＣタグリーダａのＩＤだけでは着用した個人を区別することはできないが、その確率は小さく実用上は問題が少ないと考えられる。同居人が着用した情報が誤って自分のクローゼット情報に記録された場合は、会員がそのクローゼットの着用履歴を削除すればよいからである。
【００５５】
しかし、根本的な解決手段として、室内設置型のＩＣタグリーダ２０ａにユーザ識別ボタンを複数設け、ユーザを識別できるようにしてもよい。例えば、会員がユーザ識別ボタンＡを押した場合は、ＩＣタグリーダＩＤ＋Ａが送信され、会員Ａが検出されたアイテムを着用したとみなされる。会員がユーザ識別ボタンＢを押した場合は、ＩＣタグリーダＩＤ＋Ｂが送信され、会員Ｂが検出されたアイテムを着用したとみなすようにする。ユーザ識別ボタンは、お出かけ時をはじめとして、ユーザが着用情報を送信させたいときにいつ押してもよい。
【００５６】
さらに別の解決手段として、ＩＣタグリーダ２０ａが室内又は外部施設のいずれに設置された場合でも、生体認証ＩＣチップの技術を利用してもよい。生体認証ＩＣチップとは、個人識別子を含んだ情報を記憶したＩＣチップを、体内に埋め込んだり体に貼ったりして個人の識別や認証を行う技術である。すなわち、ＩＣタグリーダ２０ａは、会員ＩＤを記憶していないＩＣタグ２０ｂから情報を読み込んだ際に、生体認証ＩＣチップからＩＣチップＩＤを読み出して、個人識別子として商品ＩＤとともに服飾管理サーバ５０に送信する。特に、ＩＣタグリーダ２０ａが外部の施設に設置される場合（同じ商品を所持している多数の人間を検知する可能性が高い）、かつＩＣタグに会員ＩＤを記憶してない場合には、このような個人識別方法が必要である。もちろん、会員が会員端末１０を携帯している場合は、会員端末ＩＤを個人識別子として利用してもよい。
【００５７】
なお、第一の実施形態と第二の実施形態は、択一的に実施するものではなく、両者を混在させて利用することが可能である。すなわち、各ＩＣタグリーダは、会員端末内蔵型、外部設置型（室内設置型又は外部施設設置型）いずれの場合でも、各ＩＣタグから読み取った情報が商品ＩＤのみであれば、読み取り時に検出された会員端末ＩＤ、ＩＣタグリーダＩＤ、生体認証ＩＣチップＩＤのいずれかを商品ＩＤに付加して送信する。各ＩＣタグから商品ＩＤと会員ＩＤが共に読み取れた場合は、読み取った情報をそのまま送信すればよい。服飾品管理サーバ５０の商品着用情報受信部５７は、ＩＣカードリーダから受信した着用情報中の、会員端末ＩＤ、ＩＣタグリーダＩＤ、生体認証ＩＣチップＩＤのいずれかから、登録された情報を基に、会員ＩＤへの変換を行う。
【００５８】
上記の図２、図３のシステムにおける機能構成は、あくまでも一例であり、一つの機能部を更に分割したり、複数の機能部をまとめて一つの機能部として構成したりしてもよい。各機能部は、装置に内蔵されたＣＰＵ（Central  Processing  Unit）が、ＲＯＭ（Read  Only  Memory）又はハードディスク等の記憶装置に格納されたコンピュータ・プログラムを読み出し、ＣＰＵにより実行されたコンピュータ・プログラムによって実現される。すなわち、各機能部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００５９】
図４は、クローゼットＤＢ５１に格納された購入商品情報１００（上段）及びＩＣタグリーダ２０から送信される着用情報１２０（下段）を示す図である。
【００６０】
購入商品情報１００は、加盟店から送信された購入商品情報に基づいて、データベースで管理しやすいように整理し、一部データを追加又は変換したものである。具体的には、会員ＩＤ１０１は、加盟店から送信された購入商品情報には含まれてなくともよく、クレジットカード番号１０２をキーに会員ＤＢ５２から取得できる。商品ＩＤ１０８としては、ＥＰＣ（Electronic Product Code）コードがよく用いられる。ＥＰＣコードは、８ビットのＥＰＣコード・バージョンナンバーを示すヘッダー、２８ビットの管理団体を示すＥＰＣマネージャ、２４ビットの品名を示すオブジェクト・クラス、及び３６ビットの個別の連続番号からなるシリアル・ナンバーの計９６ビットから成り、必要に応じてこれらにＣＲＣ（Cyclic  Redundancy  Check）のような冗長ビットが付加される。
【００６１】
商品属性１０９には、商品の分類、色、柄、素材、ブランド名が含まれる。特に、商品分類は体系的に管理され、トップス（コート、スーツ、ジャケット、セーター、シャツ、ブラウス等）、ボトムス（ズボン、スカート、パンツ等）、インナー（下着類）、帽子（ハット、キャップ等）、靴（シューズ、ブーツ、スニーカ、運動靴等）、鞄（バッグ、ポーチ、ブリーフケース等）、装飾品類（ブレスレット、イヤリング、ネックレス、スカーフ、ベルト等）のように、大分類と中分類若しくは小分類を表す用語が用いられる。紳士用と婦人用とに分けて分類してもよい。商品分類からアバターにアイテム合成する際の重ね方が判定される。例えば、アバターがコートの上にジャケットを着るようなことはない。
【００６２】
商品画像イメージファイル１１０は、既に説明したように、商品の写真画像を基にアバターの画像に合成可能なフォーマットに変換されたものである。また、備考１１１には、会員がその商品について付記した情報等が格納される。
【００６３】
ＩＣタグリーダ２０から送信される着用情報１２０には、図示するような項目が含まれる。特に、ユーザ識別ボタンＩＤ１２４とは、先に説明したユーザ識別ボタン等を備えたＩＣタグリーダの場合に、外出時等にユーザによって押されたユーザ識別ボタンのＩＤを記載される。この機能によって一台の室内設置型ＩＣタグリーダ２０ａが、同居する複数の会員を識別することが可能となる。
【００６４】
会員ＩＤ１２５は、ＩＣタグが書込み可タイプの場合にはＩＣタグ内に記憶されたものを記載する。ＩＣタグが読み出しのみタイプの場合には、会員ＩＤ１２５はブランクのままでよい。会員端末ＩＤ１２６は、ＩＣタグを内蔵した会員端末の場合、その端末ＩＤを記載する。なお、アイテムＩＤ１２７〜１３０とは、ＩＣタグリーダ２０が検出したＩＣタグに記憶された商品ＩＤである。
【００６５】
図５は、クローゼットＤＢ５１に格納されたクローゼット情報１４０の内容を模式的に表形式で示す図である。「Ｎｏ．」１４１は、アイテムがクローゼットに登録された順番を表す。「登録ＩＤ」１４２は、クローゼットＤＢ５１上でアイテムを一義的に識別するＩＤであり、例えば、会員ＩＤ＋ＥＰＣコードのような世界統一の商品ＩＤで定義される。「着用回数」１４３は、購入後に着用した（ＩＣタグリーダに検出された）回数を表す。なお、クローゼット情報１４０は、先に説明した購入商品情報１００を含む。
【００６６】
「着用回数」１４３は、購入時は当然ゼロにセットされているが、購入後の帰宅途中に設置された外部設置型のＩＣタグリーダで検出された場合を考慮し、購入後の所定時間（例えば６〜１２時間程度）が過ぎるまでは着用回数のカウントをしないようにするとよい。あるいは、商品のＩＣタグが埋め込まれた箇所にＩＣタグの電波を遮断する素材を用いたシールを貼っておき、そのシールを剥がすまでは外部に電波を漏らさないようにするなどの対策をとってもよい。
【００６７】
表右端の「公開」１４４には、会員の設定に基づいて、そのアイテムの所持を公開するか否かのフラグ（公開フラグと呼ぶ）がセットされる。クローゼット情報の全体又は一部を公開にしている場合であっても、公開フラグが「×」になっているアイテムは、コーディネート中のアイテムとして他の会員や加盟店に公開されることはない。一般的に外部に露出することがないインナーなどは、デフォルトでは公開フラグが「×」になっているものとする。また、高価な装飾品なども公開フラグはデフォルトで「×」とする。
【００６８】
図６は、自己のコーディネートに対する他会員からの評価を表示するためのコーディネート評価画面２００の一例を示す図である。図示するように、この画面では、ある日における自己のコーディネートをアバター上で表現したコーディネート画像２０１が表示される。自己のアバター画像は、会員がアバター作成ツール等を用いて予め作成しておくものとする。コーディネート画像２０１は、その日に会員が実際に着用したアイテムの画像が自己のアバター画像に合成されて表示される。矢印ボタン２０２又は２０３を押すと、別の日のコーディネート画像が表示される。
【００６９】
コーディネート画像２０１には、コメント欄２０６が付加され、会員は、コーディネート画像２０１に対する自己のコメントを記入することができる。コメント欄２０６には、日付、場所等の情報を記入することが多いと思われるが、日付、場所などの情報は、ＩＣタグリーダ２０から受信した着用情報から自動的に取得できる。ＩＣタグリーダ２０が外部の施設に設置されている場合には、会員がその衣装を着て実際に訪れた場所や施設名も表示できる。このようにすることで、会員は、コメント入力の際に場所等を入力する手間が省ける。もちろん、会員は、編集ボタン２０７を押すことでコメント欄２０６の内容をいつでも変更できる。
【００７０】
また、コーディネート画像２０１には、このコーディネートを構成する各アイテムのアイテム組合せ情報２０８が付加される。この例では各アイテムを登録順の「Ｎｏ．」で表しているが、各アイテムの商品ＩＤを用いてもよい。なお、詳細ボタン２０９を押すと、各アイテムの詳細情報が表示される。
【００７１】
コーディネート画像２０１を「公開」に設定している場合は、他の会員が書き込んだ「評価」が評価欄２０４に表示される。書込みはクレジットカードの会員用Ｗｅｂサイトにおいて行われる。ここでは評価方法の例として、ＳＮＳ（Social  Network  System）でよく用いられるような、「いいね！」と評価した会員の人数と、コメント件数（否定的コメントを含む）を評価項目として採用しているが、他の評価方法を用いてもよいのはもちろんである。
【００７２】
また、評価の表示方法は、表示方法欄２０５で指定でき、コーディネート画像を図のように個別に順次表示していく方式としてもよいし、複数のコーディネート画像を一覧で表示する方式としてもよい。また、日付順や評価順（高い順又は低い順）に並べることもでき、さらに、コメント欄２０６をキーワードで検索し、ヒットした順に並べることもできる。また、図６下段で示すようなコーディネート評価テーブル１５０に、コーディネート結果をまとめて表示するようにしてもよい。
【００７３】
図７は、自己のコーディネートを時系列でチェックするためのコーディネート閲覧画面２１０の一例を示す図である。日付指定欄２１１に表示したい基準日となる日付を指定すると、その前後の日付のコーディネート画像が表示される。ここでは、コーディネート画像が３日ずつ表示されているが、図下段の表示方法欄２１４から、並べて表示する範囲を「週ごと」とすると、週単位のコーディネート画像が表示される。また、特定の曜日や、平日又は週末（土日）だけのコーディネートを選択的に表示させるようしてもよい。さらに、検索条件２１３にキーワードを入力すれば、合致したコーディネートのみを時系列で表示できる。
【００７４】
なお、図の検索条件２１３ａの例では、「カジュアル」を選択しているが、この用語の場合は、コメント欄に必ずしも「カジュアル」と記載していなくともよく、着用したアイテムの属性からカジュアルであると推察できる（フォーマルなアイテムを含んでいない）コーディネートを選択して表示する。もちろん、符号２１５で示すように、各コーディネート画像には、自己のコメント欄や他会員からの評価を合わせて表示してもよい。このように時系列で自己のコーディネート履歴を表示することで、時節によるコーディネートの癖や傾向をチェックすることができ、また衣装アルバムとして想い出に浸ることもできる。
【００７５】
また、右端のコーディネート画像２１２は、会員が自宅にいた時のコーディネートを示したものであるが、これは評価を得る目的ではないので非公開となっている。公開フラグが「×」となっているアイテム（典型的には、普段着、インナーウェア等）だけを着用した場合、あるいは、トップス、ボトムスであるのに最も外側に着用されると考えられるアウターアイテム（コート、ジャンパー、スーツ、ジャケット、ズボン、スカート等）が非公開となっている場合には、コーディネート画像全体も自動的に非公開となる。通常は、外部の人間にアウターアイテムを省いたインナー又はアンダーウェアのコーディネートを評価してもらう必要はないからである。
【００７６】
このように、自宅等にいる場合であっても、そのときのコーディネート（着こなし）を検出できるのは、端末内蔵型のＩＣタグリーダ２０ｂ又は室内設置型のＩＣタグリーダ２０ａを利用した場合の大きなメリットである。このタイプのＩＣタグリーダを用いることで、外出用着だけでなく、普段着等の着用履歴も管理できる。
【００７７】
図８は、他の会員のコーディネートを参考にするための他会員コーディネート参照画面２２０の一例を示す図である。図の例では、会員が自己のコーディネート画像２２１の中の「ＸＸＸスカート」のアイテム２２２をクリック又はタップし、同じＸＸＸスカートをコーディネートした他の会員のコーディネート画像２２３とその評価２２７を表示させたような場合を示している。
【００７８】
画面中、矢印ボタン２２４又は２２５を押すと、別の会員の同じＸＸＸスカートを着用したコーディネート画像が表示される。ここでは、色違い、柄違い、サイズ違いであっても同じＸＸＸスカートとみなして表示してもよい。
【００７９】
また、一つのアイテムだけでなく、複数のアイテムを選択することもできる。例えば、スカートとブーツを選択すると、同じスカートと同じブーツの組み合わせを有する他の会員のコーディネート画像が表示される。表示方法２２８で、一覧表示、個別表示、評価順（評価のよい順）、日付順（日付の新しい順）等を指定できるのはいままでの画面と同様である。このようにして、他の会員のコーディネートと自己のコーディネートを見比べ、自己のコーディネートに取り入れたり、自分流にさらにアレンジしたりすることができる。
【００８０】
図９は、自己が所持する着用回数の少ないアイテムをチェックするためのアイテム着用回数チェック画面２３０の一例を示す図である。服飾品の購入者は、商品を購入したものの、一度も着用せずクローゼットに眠らせてしまっていることがよくある。また、タンスの奥にしまい込んだ服などは、その存在自体を忘れてしまっていることもよくある。
【００８１】
クローゼット情報１４０には、購入したすべてのアイテムの購入日、着用回数が記録されているので、実生活上はタンスの奥などにしまいこんだアイテムであっても、クローゼット情報１４０を使えば簡単に表示することができる。例えば、アイテム着用回数チェック画面２３０に、各アイテムを着用回数２３１の少ない順に表示する。このような表示があると、会員は、図の右端にあるような処分欄２３２にチェックをいれて、処分対象として考えるアイテムを整理することができる。また、着用回数はある程度あっても、最近は着なくなったアイテムだけを集めて表示してもよい。さらに、着なくなった理由（例えば、「買ったのを忘れていた」、「サイズが合わなくなった」、「流行遅れになった」等）をコメントで入力させたり、理由一覧表から選択させたりしてもよい。
【００８２】
図１０は、加盟店からの会員に対する提案を表示するためのショップ提案画面２４０の一例を示す図である。会員がショップ（加盟店）に対して自己のクローゼットを見ることを許可している場合は、ショップ側からの新たな商品やコーディネートの提案を受け取ることができる。もちろん、商品を購入したショップ以外の加盟店に対しても閲覧を許可するように設定してもよい。例えば、クローゼット情報１４０から、会員の図示するようなコーディネート画像２４２を見つけたショップの店員は、コーディネート画像２４２に含まれたアイテムを生かして新たなコーディネートを考え、提案コーディネート画像２４３としてその会員に送信することができる。直接、コーディネート画像２４３を送信せずとも、ショップ側から会員サイト内でメッセージを会員に送り、会員がそのメッセージを見て、所定のリンクをクリックすると、自己のクローゼット情報１４０の閲覧の際に、ショップ提案画面２４０が表示されるようにしてもよい。
【００８３】
ショップ側は、コーディネートに関する提案以外にも、会員の着用履歴からアイテムの処分方法等の提案もすることができる。購入された商品の着用履歴がゼロ又は極端に少ないアイテムに関して、メッセージ欄２４４で示すように、その理由を尋ねたりしてもよい。例えば、「デザインが思ったよりよくなかった」、「手持ちの服と合わない」、「買ったのを忘れていた」、「着ていく機会がなった」等の想定される理由を、リスト２４５の中から選択してもらうようにしてもよい。このようにすることで、ショップ側は得られた理由に応じて、新たな提案をする際の参考データとすることができる。また、同時に会員が購入した商品に対する評価も得ることができる。
【００８４】
さらに、会員がこの提案画面中の「処分方法をアドバイス」ボタン２４６を押すと、中古買い取り店のリストやリンク、広告、同じ商品のオークションでの落札価格などを表示するようにしてもよい。あるいは、会員同士の物々交換マーケットへの出品を提案してもよい。
【００８５】
このように本システムを利用することで、会員側にとっては、自己の実生活でのクローゼットの中身を容易に管理することができ、自己のコーディネートに対する他人の評価を得ることや、クローゼットに死蔵したアイテムを蘇えらせることにも役立つ。また、加盟店側にとっても、顧客に新たな購入を促すきっかけを提供することができ、クレジットカード会社側にとっても、会員Ｗｅｂサイトの付加価値を向上させることができる。
【００８６】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００８７】
１０    会員端末
１１    他会員端末
２０    ＩＣタグリーダ
２０ａ  ＩＣタグリーダ（外部設置型）
２０ｂ  ＩＣタグリーダ（会員端末内蔵型）
２１    ＩＣタグ
２１ａ  ＩＣタグ（書込可タイプ）
２１ｂ  ＩＣタグ（非書込タイプ）
３０    加盟店サーバ
３１    顧客ＤＢ
３２    商品ＤＢ
３３    購入受付部
３４    購入商品情報送信部
４０    加盟店端末
４１    ＩＣタグライタ
５０    服飾品管理サーバ
５１    クローゼットＤＢ
５２    会員ＤＢ
５３    加盟店ＤＢ
５４    購入商品情報受信部
５５    クローゼット情報送信部
５６    会員コミュニティ制御部
５７    商品着用情報受信部
６０    ネットワーク
１００    購入商品情報
１２０    着用情報
１４０    クローゼット情報
１５０    コーディネート評価テーブル
２００    コーディネート評価画面
２１０    コーディネート閲覧画面
２２０    他会員コーディネート参照画面
２３０    アイテム着用回数チェック画面
２４０    ショップ提案画面
【図１】
2014102739.tif 000003
【図４】
2014102739.tif 000004
【図５】
2014102739.tif 000005
【図６】
2014102739.tif 000006
【図７】
2014102739.tif 000007
【図８】
2014102739.tif 000008
【図９】
2014102739.tif 000009
【図１０】
2014102739.tif 000010
【図２】
2014102739.tif 000011
【図３】
2014102739.tif 000012